(57)【要約】【課題】撮影状況に関係なく常に輝度信号のヒストグラムが重畳表示されると、ヒストグラムの表示が不要な状況では映像を確認しづらい。【解決手段】外部から映像信号を入力する外部入力Ｉ／Ｆ１０１と、映像信号から波形信号を生成する波形生成器１０３と、周囲の明るさを検出する外光センサ１０７と、外光センサ１０７の検出結果が所定値以上であれば映像信号に波形信号を重畳して出力し、そうでない場合は映像信号のみを出力する切替器１０４とを有する構成とした。【選択図】図１
2009130496.tif 000002
【特許請求の範囲】
【請求項１】
外部から映像信号を入力する映像入力手段と、
前記映像信号に基づいて波形映像信号を生成する波形映像信号生成手段と、
周囲の明るさを検出する明るさ検出手段と、
前記映像信号および前記波形映像信号を重畳した重畳信号ならびに前記映像信号のうちいずれか一方を表示用映像信号として出力する切替手段と、
前記明るさ検出手段の検出結果が所定のしきい値以上である場合には、前記重畳信号を出力するように前記切替手段を制御し、前記明るさ検出手段の検出結果が所定のしきい値未満である場合には、前記映像信号を出力するように前記切替手段を制御する制御手段と、
前記表示用映像信号を表示する表示手段と、
を備えた波形表示装置。
【請求項２】
前記波形映像信号生成手段は、前記映像信号中の輝度レベルを抽出して前記波形映像信号を生成する請求項１記載の波形表示装置。
【請求項３】
前記波形映像信号生成手段は、前記映像信号中の色差レベルを抽出したベクトル波形信号から前記波形映像信号を生成する請求項１記載の波形表示装置。
【請求項４】
被写体からの光を撮像し映像信号を出力する撮像手段と、
前記映像信号に基づいて波形映像信号を生成する波形映像信号生成手段と、
周囲の明るさを検出する明るさ検出手段と、
前記映像信号および前記波形映像信号を重畳した重畳信号ならびに前記映像信号のうちいずれか一方を表示用映像信号として出力する切替手段と、
前記明るさ検出手段の検出結果が所定のしきい値以上である場合には、前記重畳信号を出力するように前記切替手段を制御し、前記明るさ検出手段の検出結果が所定のしきい値未満である場合には、前記映像信号を出力するように前記切替手段を制御する制御手段と、
前記表示用映像信号を表示する表示手段と、
を備えた撮像装置。
【発明の詳細な説明】
【技術分野】
【０００１】
本発明は、カメラからの映像を入力し露出および色の状態を確認するための波形表示装置に関する。
【背景技術】
【０００２】
従来の波形表示装置は、撮像しているカメラにおける露出および色の設定確認が容易となるよう、撮像された映像信号の輝度レベルの分布を演算で求めてヒストグラム化し、撮像された映像に重畳してビューファインダに表示している（例えば、特許文献１参照）。
【０００３】
図４は、従来の波形表示装置の構成を示すブロック図である。また、図５は、従来の波形表示装置において、波形信号を映像信号に重畳したときの表示説明図である。図４において、撮像素子２０１からの出力はアナログ信号処理回路２０２でアナログ信号処理され、Ａ／Ｄ変換器２０３でディジタル変換された後、ディジタル信号処理回路２０４に供給される。ディジタル信号処理回路２０４にて分離して出力された輝度信号および色差信号は、フレームメモリ２０５に一時的に蓄積され、フレーム単位で半導体メモリ２０６に記録される。一方、ディジタル信号処理回路２０４から出力された輝度信号出力は度数分布計算回路２０７に供給され、１フレーム区間の輝度レベルの度数分布が計算される。その計算結果が表示信号形成回路２０８に供給され、ヒストグラムを表示するための表示信号が生成される。重畳回路２０９にはディジタル信号処理回路２０４からの輝度信号と表示信号形成回路２０８からの表示信号とが供給され、双方の信号がスーパーインポーズされた形でＤ／Ａ変換器２１０を介してビューファインダ２１１に表示され、図５のように映像とヒストグラムとが重畳表示される。
【特許文献１】特開平７−３８８０１号公報
【発明の開示】
【発明が解決しようとする課題】
【０００４】
しかしながら前記従来の構成では、撮影状況に関係なく常にビューファインダ上の映像に輝度信号のヒストグラムが重畳表示されるので、ヒストグラム表示が不必要な状況、例えば屋内撮影のようにビューファインダ上の映像だけで撮影条件を決定できる場合では逆にヒストグラムの動きが邪魔になり映像を確認しづらくなるという課題を有していた。また、仮にメニュー操作やボタン操作で重畳表示の有無を切り替え出来るようにしたとしても、撮影中に不用意に操作すると画角自体が動いて撮影失敗を招いてしまう可能性があるという課題を有していた。
【０００５】
上記課題に鑑みて本発明の波形表示装置は、ヒストグラム等の表示を適切に行える波形表示装置を提供することを目的とする。
【課題を解決するための手段】
【０００６】
前記従来の課題を解決するために、本発明の波形表示装置は、外部から映像信号を入力する映像入力手段と、映像信号に基づいて波形映像信号を生成する波形映像信号生成手段と、周囲の明るさを検出する明るさ検出手段と、映像信号および波形映像信号を重畳した重畳信号ならびに映像信号のうちいずれか一方を表示用映像信号として出力する切替手段と、明るさ検出手段の検出結果が所定のしきい値以上である場合には、重畳信号を出力するように切替手段を制御し、明るさ検出手段の検出結果が所定のしきい値未満である場合には、映像信号を出力するように切替手段を制御する制御手段と、表示用映像信号を表示する表示手段と、を備える。
【発明の効果】
【０００７】
本発明の波形表示装置によれば、昼間の屋外撮影のように、映像モニタ上の映像だけではカメラの露出や色等の設定確認が困難な状況下であると判断すると、自動的に波形信号を重畳表示するので、カメラ設定を定量的に確認することができ、露出オーバーやホワイトバランスずれ等による撮影失敗を防止することができる。また、屋内撮影など映像モニタ上だけで設定確認ができる状況下では波形信号を重畳しないので、不要な情報による混乱を防止することができる。
【発明を実施するための最良の形態】
【０００８】
以下、本発明を実施するための最良の形態について、図面を参照しながら説明する。
【０００９】
（実施の形態１）
図１は、本発明の実施の形態１における波形表示装置の構成を示すブロック図である。図２は、本発明の実施の形態１における波形表示装置において、波形信号を映像信号に重畳したときの表示動作説明図である。
【００１０】
図１において、外部入力Ｉ／Ｆ１０１は、外部のビデオカメラから伝送に適した形で送られてくるディジタル映像信号データを受信する。信号処理器１０２は、外部入力Ｉ／Ｆ１０２より出力されるディジタル映像信号データから輝度信号および色差信号を分離する。
【００１１】
波形生成器１０３は、信号処理器１０２より出力される輝度信号から１フレーム期間の波形の映像信号（縦軸に輝度レベル、横軸に映像信号の横方向の画素位置）を生成する。具体的には、まず輝度信号から、表示したい波形信号を生成する。波形信号としては、水平方向の各画素位置(もしくは水平方向の所定範囲毎)に対する所定の水平ラインの輝度レベル、水平方向の各画素位置(もしくは水平方向の所定範囲毎)に対する垂直方向の平均輝度レベル、等とすることができる。次に波形生成器１０３は、この波形信号をグラフとして描画、すなわち波形の映像信号となる輝度信号および色差信号に変換して出力する。なお、波形生成器１０３は、このような波形信号の代わりに、色差信号から１フレーム期間のベクトル波形信号（縦軸にＲ−Ｙ、横軸にＢ−Ｙ）を生成し、これを映像信号に変換して出力するようにしてもよい。また、１フレームの輝度信号における各輝度レベルの度数をヒストグラムとして出力するようにしてもよい。どのような波形信号を生成するかは、制御器１０８からの制御によって切り替える（後述する）。
【００１２】
切替器１０４は、信号処理器１０２からの輝度信号および色差信号と、波形生成器１０３からの輝度信号および色差信号とを、制御器１０８の制御によって重畳して出力するかまたは映像信号のみを出力する。ＬＣＤドライバ１０５は、切替器１０４からの輝度信号および色差信号をＲＧＢ変換、画素変換およびレベル変換する。ＬＣＤモニタ１０６は、ＬＣＤドライバ１０５からの信号を表示する。
【００１３】
外光センサ１０７は、筐体の表面に取付けられた赤外線センサであり、赤外線（屋外の太陽光下では太陽光自体に赤外線を多く含むが、屋内の蛍光灯照明下では蛍光灯の光自体に赤外線を含まないので、屋外屋内の判断を赤外線の有無で行うことができる）の強度を検出する。制御器１０８は、波形を表示するためのエリアやどのような波形信号を出力させるかといった情報を、予め設定されているメニュー設定情報をもとに波形生成器１０３に対して指示する。また、制御器１０８は、外光センサ１０７からの検出結果を所定のしきい値と比較することにより周囲の明るさを検出し、しきい値以上であれば、切替器１０４に対し波形信号の重畳を指示する。
【００１４】
波形信号の重畳動作に関しさらに詳しく説明する。波形表示装置がカメラと接続された状態であって、日中に蛍光灯照明の屋内から屋外へ移動しながら撮影する場合を考える。屋内では蛍光灯照明下であるので、外光センサ１０７の検出結果は所定のしきい値より低くなる。そこで、制御器１０８は、周囲があまり明るくない（屋外使用状態よりも暗い）屋内使用状態であると判断し、切替器１０４の出力を信号処理器１０２からの輝度信号および色差信号に固定する。したがってＬＣＤモニタ１０６上には外部入力Ｉ／Ｆ１０１に接続されたカメラからの映像のみが表示される。次に撮影シーンが屋内から屋外に移る場面においては、屋外に出た瞬間から外光センサ１０７からの赤外線検出レベルが高い状態となりしきい値を越える。制御器１０８は外光センサ１０７からの出力より周囲が非常に明るい屋外使用状態であると判断し、切替器１０４を信号処理器１０２からの輝度信号および色差信号、波形生成器１０３からの輝度信号および色差信号を重畳して出力するよう指示をする。したがってＬＣＤモニタ１０６上にはカメラからの映像に重なって波形が表示される。
【００１５】
以上説明したように、日中に屋外でカメラによる撮影を行う場合、外光である太陽光に比較して表示部の輝度が低い為、カメラからの外部入力映像の暗部や白飛びを確認するのが非常に困難な状況となるが、本発明の波形表示装置によれば、制御器１０８が外光センサ１０７の検出結果に基づいて太陽光下で使用されていると判断し、切替器１０４を制御して外部入力映像に波形信号を重畳する。したがって、露出および色の状態を定量的に確認することができ、露出オーバーやホワイトバランスずれなどによる撮影失敗を防止することができる。
【００１６】
なお、本実施の形態において、外光センサ１０７として赤外線センサの代わりに明るさを検出するフォトセンサを使用し、フォトセンサからの検出レベルが一定量を超えたら外部入力映像に波形信号を重畳する構成としても良い。
【００１７】
（実施の形態２）
図３は、本発明の実施の形態２における波形表示装置の構成を示すブロック図である。図３において、実施の形態１と同じ構成要素については同じ符号を用い、説明を省略する。実施の形態２の波形表示装置が実施の形態１と異なる部分は、外部入力Ｉ／Ｆ１０１の代わりに撮像素子１０９とアナログ信号処理回路１１０とＡ／Ｄ変換器１１１とを備えたところである。
【００１８】
撮像素子１０９は、レンズ（不図示）によって結像された映像を光電変換してアナログ信号処理回路１１０に供給する。アナログ信号処理回路１１０は、入力されたアナログ映像信号に対してアナログ信号処理を行う。アナログ信号処理回路１１０でアナログ信号処理された信号は、Ａ／Ｄ変換器１１１でディジタル変換され信号処理器１０２に供給される。信号処理器１０２以降の信号の流れや動作は実施の形態１で説明した通りである。
【００１９】
以上のように、カメラと表示部が一体となっているので、日中で屋内から屋外へ撮影シーンが移っていく状況でも、表示部の視認性が悪くなる屋外になった瞬間に波形が重畳表示されるので、カメラマン自身がカメラ操作の体勢を変えることなく確実に撮影の状態を確認することができる。
【産業上の利用可能性】
【００２０】
本発明にかかる波形表示装置は、昼間の屋外撮影のように、映像モニタ上の映像だけではカメラの露出や色等の設定確認が困難な状況下においても、これらの設定を定量的に確認することができ、露出オーバーやホワイトバランスずれなどによる撮影失敗を防止することが可能になるので、被写体を確実に撮影することが必要な業務用カメラ等にも適用可能である。
【図面の簡単な説明】
【００２１】
【図１】本発明の実施の形態１における波形表示装置の構成を示すブロック図
【図２】本発明の実施の形態１における波形表示装置において、波形信号を映像信号に重畳したときの表示動作説明図
【図３】本発明の実施の形態２における波形表示装置の構成を示すブロック図
【図４】従来の波形表示装置の構成を示すブロック図
【図５】従来の波形表示装置において、波形信号を映像信号に重畳したときの表示説明図
【符号の説明】
【００２２】
１０１  外部入力Ｉ／Ｆ
１０２  信号処理器
１０３  波形生成器
１０４  切替器
１０５  ＬＣＤドライバ
１０６  ＬＣＤモニタ
１０７  外光センサ
１０８  制御器
１０９  撮像素子
１１０  アナログ信号処理回路
１１１  Ａ／Ｄ変換器
【図１】
2009130496.tif 000003
【図３】
2009130496.tif 000004
【図４】
2009130496.tif 000005
【図５】
2009130496.tif 000006
【図２】
2009130496.tif 000007